(57)【要約】【課題】ＣＭ明けの本編を見逃してしまうことがないようにした放送受信装置を提供することである。【解決手段】放送を受信する第１及び第２チューナ１３ａ、１３ｂと、受信した映像を記憶するＲＡＭ１８とを備えた放送受信装置１０において、第１チューナ１３ａで受信しているチャンネルの番組を出力している場合、ＲＡＭ１８に該番組の直近のコマーシャル直前の所定量の映像を記憶し、前記コマーシャル中に他のチャンネルへの切り替え指示があった場合、第２チューナ１３ｂで該他のチャンネルを受信し、第１チューナ１３ａで受信しているチャンネルの番組に代えて該他のチャンネルの番組を出力し、ＲＡＭ１８に記憶されているコマーシャル直前の映像と、第１チューナ１３ａで受信中のチャンネルの映像とが近似している場合、コマーシャルが終了した旨を出力する構成とする。【選択図】図１
2012019287.tif 000002
【特許請求の範囲】
【請求項１】
放送を受信する第１及び第２チューナと、受信した映像を記憶する記憶部とを備えた放送受信装置において、
第１チューナで受信しているチャンネルの番組を出力している場合、前記記憶部に該番組の直近のコマーシャル直前の所定量の映像を記憶し、
前記コマーシャル中に他のチャンネルへの切り替え指示があった場合、第２チューナで該他のチャンネルを受信し、前記第１チューナで受信しているチャンネルの番組に代えて該他のチャンネルの番組を出力し、
前記記憶部に記憶されているコマーシャル直前の映像と、第１チューナで受信中のチャンネルの映像とが近似している場合、コマーシャルが終了した旨を出力することを特徴とする放送受信装置。
【請求項２】
前記近似している場合とは、前記記憶部に記憶されているコマーシャル直前の所定フレームの映像と、第１チューナで受信中のチャンネルのフレームの映像とが、所定面積以上一致した場合であることを特徴とする請求項１記載の放送受信装置。
【請求項３】
第１チューナで受信しているチャンネルの映像を監視し、
映像の切り替わり速度が所定の閾値以上の状態をコマーシャル中であると判別し、
前記コマーシャル中に他のチャンネルへの切り替え指示があった場合、第２チューナで該他のチャンネルを受信し、前記第１チューナで受信しているチャンネルの番組に代えて該他のチャンネルの番組を出力し、
前記コマーシャルが終了した場合、コマーシャルが終了した旨を出力することを特徴とする請求項１又は２記載の放送受信装置。
【請求項４】
第１チューナで受信しているチャンネルの音声を監視し、
音声の周波数帯域が所定帯域より広い状態、又はボリュームレベルが上がった状態をコマーシャル中であると判別し、
前記コマーシャル中に他のチャンネルへの切り替え指示があった場合、第２チューナで該他のチャンネルを受信し、前記第１チューナで受信しているチャンネルの番組に代えて該他のチャンネルの番組を出力し、
前記コマーシャルが終了した場合、コマーシャルが終了した旨を出力することを特徴とする請求項１〜３の何れかに記載の放送受信装置。
【請求項５】
前記記憶部に該番組の直近のコマーシャル直前の所定量の映像に加えて音声を記憶し、
前記記憶部に記憶されているコマーシャル直前の音声と、第１チューナで受信中のチャンネルの音声とが近似している場合、コマーシャルが終了した旨を出力することを特徴とする請求項１〜４の何れかに記載の放送受信装置。
【請求項６】
前記コマーシャルが終了した旨を出力することに代えて、第１チューナで受信しているチャンネルに強制的に切り替えることを特徴とする請求項１〜５の何れかに記載の放送受信装置。
【発明の詳細な説明】
【技術分野】
【０００１】
本発明は、放送を受信する２つのチューナを備えた放送受信装置に関する。
【背景技術】
【０００２】
テレビ放送においては適宜コマーシャル（以下、ＣＭと記すことがある）が挿入されるのが一般的であり、視聴者は、ＣＭになると他のチャンネルでどのような番組が放送されているかチェックするためにチャンネルの切り替えを繰り返す、いわゆるザッピングを行うことが多い。
【０００３】
この場合、視聴者はＣＭが終わった頃を見計らって元のチャンネルに戻すが、既にＣＭが終わっていて見たかったシーンを見逃してしまうことがある。最近の番組では盛り上がりが最高潮になるタイミングでＣＭに切り替わることが多いため、ＣＭ明けのシーンを見逃すと、悔しい思いをすることがある。そして、このような事態を回避するため、様々な技術が提案されている。
【０００４】
例えば、特許文献１には、各チャンネルのチャンネル状況を管理し、ユーザがチャンネルサーフィンを行う目的でチャンネル変更指示を行った場合に、自装置で管理するチャンネル状況を参照し、ＣＭ中のチャンネルをスキップしてチャンネル変更・画面表示を行うコンテンツ再生装置が開示されている。
【０００５】
また特許文献２には、ＣＭ終了検出手段によってＣＭの終了時点が検出された場合に、チャンネル制御手段は、チャンネルの変更前のチャンネル情報を第１のチャンネル選局制御手段に送信し、第１の受信手段は、送信されたチャンネルの変更前のチャンネル情報に基づき第１のチャンネル選局制御手段により生成されたチャンネル選局情報に基づいてチャンネルを選局するテレビジョン放送受信装置が開示されている。
【０００６】
また特許文献３には、同一チャンネルが連続して５分以上視聴された場合、そのチャンネルの番組を視聴番組であると判定し、視聴番組の番組情報を取得し、取得した番組情報に含まれるＣＭ情報をメモリに保存し、視聴番組がＣＭに入り、ユーザによって他のチャンネルに切り替えられた場合、メモリから視聴番組のＣＭ情報を読み出し、現在の時刻がＣＭ終了時刻に到達すると、元の視聴番組のチャンネルに切り替えるテレビ放送受信装置が開示されている。
【０００７】
また特許文献４には、第１チューナが受信したチャンネルの番組を出力しているとき、ＣＭが始まる、あるいは操作部からスタート信号が入力されると、第２チューナが受信した番組に出力が切り替わり、第２チューナから指定されたチャンネルの番組を出力するか、あるいは第２チューナのチャンネルを順に切り替えて、異なる番組を順に出力するか、いずれかを要望に応じて選択でき、ＣＭが終了する、あるいは操作部からエンド信号が入力されると、第１チューナからの出力に切り替わり、元の番組が出力される番組受信装置が開示されている。
【０００８】
また特許文献５には、ＣＭなどのように特定のイベント発生時もしくは発生中にチャンネルを切り替えた場合、そのチャンネルを別チューナによりそのまま監視しておき、イベント終了時にチャンネルを自動的に元のチャンネルへ切り替えるデジタル放送受信装置が開示されている。
【先行技術文献】
【特許文献】
【０００９】
【特許文献１】特開２００９−２７２１８号公報
【特許文献２】特開２００７−１１６５３７号公報
【特許文献３】特開２００６−２７９４１９号公報
【特許文献４】特開２００４−１９３９２５号公報
【特許文献５】特開２００１−２７５０９０号公報
【発明の概要】
【発明が解決しようとする課題】
【００１０】
上記の特許文献１〜５におけるＣＭの開始又は終了の検出方法は以下の通りである。特許文献１では、各チャンネルのチャンネル状況を管理して検出している。また、特許文献２では、Ｉピクチャフレームの検出間隔が長くなった場合、又は音声信号の周波数スペクトルが変わった場合に、ＣＭが終了したと判断している。また、特許文献３では、ＣＭの開始・終了時刻が記載されたＣＭ情報を放送局側で追加している。また、特許文献４では、音声信号がステレオ信号、モノラル信号、音声多重信号の何れであるかを検出し、音声信号の種別が変化したことをもってＣＭの開始又は終了と判断している。また、特許文献５では、放送局側で予めデータを付加しておくことでＣＭの開始・終了を検知できるようにしている。
【００１１】
このように、番組の本編とＣＭとを判別する様々な手法があり、それぞれに一長一短がある。したがって、それらの手法を用いた特許文献１〜５の技術にも一長一短がある。
【００１２】
そこで本発明は、上記の特許文献１〜５とは違った構成によって、ＣＭ明けの本編を見逃してしまうことがないようにした放送受信装置を提供することを目的とする。
【課題を解決するための手段】
【００１３】
上記目的を達成するために本発明は、放送を受信する第１及び第２チューナと、受信した映像を記憶する記憶部とを備えた放送受信装置において、第１チューナで受信しているチャンネルの番組を出力している場合、前記記憶部に該番組の直近のコマーシャル直前の所定量の映像を記憶し、前記コマーシャル中に他のチャンネルへの切り替え指示があった場合、第２チューナで該他のチャンネルを受信し、前記第１チューナで受信しているチャンネルの番組に代えて該他のチャンネルの番組を出力し、前記記憶部に記憶されているコマーシャル直前の映像と、第１チューナで受信中のチャンネルの映像とが近似している場合、コマーシャルが終了した旨を出力することを特徴とする。
【００１４】
上記の放送受信装置において、前記近似している場合とは、例えば、前記記憶部に記憶されているコマーシャル直前の所定フレームの映像と、第１チューナで受信中のチャンネルのフレームの映像とが、所定面積以上一致した場合である。
【００１５】
また上記の放送受信装置において、第１チューナで受信しているチャンネルの映像を監視し、映像の切り替わり速度が所定の閾値以上の状態をコマーシャル中であると判別し、前記コマーシャル中に他のチャンネルへの切り替え指示があった場合、第２チューナで該他のチャンネルを受信し、前記第１チューナで受信しているチャンネルの番組に代えて該他のチャンネルの番組を出力し、前記コマーシャルが終了した場合、コマーシャルが終了した旨を出力するようにしてもよい。
【００１６】
また上記の放送受信装置において、第１チューナで受信しているチャンネルの音声を監視し、音声の周波数帯域が所定帯域より広い状態、又はボリュームレベルが上がった状態をコマーシャル中であると判別し、前記コマーシャル中に他のチャンネルへの切り替え指示があった場合、第２チューナで該他のチャンネルを受信し、前記第１チューナで受信しているチャンネルの番組に代えて該他のチャンネルの番組を出力し、前記コマーシャルが終了した場合、コマーシャルが終了した旨を出力するようにしてもよい。
【００１７】
また上記の放送受信装置において、前記記憶部に該番組の直近のコマーシャル直前の所定量の映像に加えて音声を記憶し、前記記憶部に記憶されているコマーシャル直前の音声と、第１チューナで受信中のチャンネルの音声とが近似している場合、コマーシャルが終了した旨を出力するようにしてもよい。
【００１８】
また上記の放送受信装置において、前記コマーシャルが終了した旨を出力することに代えて、第１チューナで受信しているチャンネルに強制的に切り替えるようにしてもよい。
【発明の効果】
【００１９】
本発明によると、ユーザがＣＭ中に他のチャンネルに切り替えても、元のチャンネルのＣＭが終了すれば直ぐに、ユーザに知らせるか又は強制的に元のチャンネルに戻すので、ユーザはＣＭ明けの本編を見逃すことがなくなり、ユーザの満足度が向上する。
【図面の簡単な説明】
【００２０】
【図１】本発明のテレビジョン受像機の構成を示すブロック図である。
【図２】本発明のテレビジョン受像機の動作の一例を示すフローチャートである。
【図３】本発明のディスプレイにメッセージを表示した画面の一例である。
【発明を実施するための形態】
【００２１】
以下では、デジタル放送を例に説明するが、本発明はアナログ放送にも同様に適用できる。ここでは放送受信装置としてデジタル放送を受信可能なテレビジョン受像機を例に説明する。
【００２２】
図１は、テレビジョン受像機１０の構成を示すブロック図である。１２はユーザが電源のオン／オフ操作、選局操作等の各種操作を行う操作部である。なお、操作部１２は遠隔操作可能なリモコンとしてもよい。１３はアンテナ３０で受信したデジタル放送波から所望のチャンネルの放送を選局するチューナ部である。チューナ部１３は第１チューナ１３ａと第２チューナ１３ｂとを有し、それぞれ独立してチャンネルを選局できる。
【００２３】
また、１４はチューナ部１３からの出力波をデジタル信号に変換するＡ／Ｄ変換部、１５はその出力をデータに復調する復調部である。また、１６は復調部１５で復調されたデータを種別毎に分離して出力するＴＳデマルチプレクサであり、１７はその分離されたデータを記憶するＲＡＭである。ＲＡＭ１７は受信した特定の映像及び／又は音声を記憶する別の記憶領域（記憶部）も有している。
【００２４】
また、１８はテレビジョン受像機１０の動作に必要な情報を記憶しているＲＯＭ、１９はＲＡＭ１７に記憶されたデータ中の音声データをアナログ化するＤ／Ａ変換部であり、２０はＤ／Ａ変換部１９によりアナログ化された音声データを出力する音声信号出力部、２１は音声を放音するスピーカである。
【００２５】
また、２２はＲＡＭ１７に記憶されたデータ中の映像データを圧縮前の映像データに復号化するＭＰＥＧ（Motion Picture Experts Group）２デコード部であり、２３はその復号化された映像データをＮＴＳＣ復号テレビジョン信号に復号化するＮＴＳＣエンコード部、２４はそのＮＴＳＣ復号テレビジョン信号を出力する映像信号出力部、２５は映像を表示するディスプレイ、２６はＨＤＭＩ端子等の外部Ｉ／Ｆ（インターフェース）である。そして、２７はテレビジョン受像機１０の動作を制御するＭＰＵである。ＭＰＵ２７は後述する制御における比較処理を行う比較部２７ａを有する。
【００２６】
次に、テレビジョン受像機１０が放送を受信するときの動作について説明する。まず、送信されてきたデジタル放送波をアンテナ３０で受信する。操作部１１が選局操作されると、チューナ部１３は受信するトランスポンダの切換を行う。受信したデジタル放送波はＡ／Ｄ変換部１４によりデジタル化され、復調部１５によりデータが復調される。
【００２７】
もともと、デジタル信号は送信側からＴＳ（Transport Stream）パケットの形で伝送されてくる。ＴＳパケットは映像データ、音声データ、チャンネルデータ等を含む制御データからなり、この制御データをＴＳデマルチプレクサ１６により、分離して出力し、ＲＡＭ１７に記憶する。そして、ＲＡＭ１７から読み出した音声データをＤ／Ａ変換部１９によりアナログ化し、音声信号出力部２０を介してスピーカ２１から音声を放音する。
【００２８】
また、ＲＡＭ１７から読み出した映像データをＭＰＥＧ２デコード部２２により圧縮前の映像データに復号化し、ＮＴＳＣエンコード部２３によりＮＴＳＣ復号テレビジョン信号に復号化し、映像信号出力部２４を介してディスプレイ２５に映像を表示する。
【００２９】
次に、テレビジョン受像機１０におけるＣＭ明けの本編を見逃すことがないようにする動作について説明する。
【００３０】
図２は、テレビジョン受像機１０の動作の一例を示すフローチャートである。まず、操作部１２で電源ＯＮ操作され、所望のチャンネルに選局操作されると、ステップＳ１０において、第１チューナでそのチャンネルの番組を受信し、各部の処理を経てスピーカ２１及びディスプレイ２５から出力する。
【００３１】
そしてステップＳ１１において、ＲＡＭ１７内の記憶領域にこの第１チューナ１３ａで受信している番組の直近（最新）のＣＭ直前の所定量の映像（例えば５秒間の映像）を記憶する。具体的には、第１チューナ１３ａで受信している番組の映像を常に一定量維持するように記憶内容を更新し、ＣＭの開始を検出すると記憶の更新を止める。これにより、ＣＭ直前の本編と本編直後のＣＭの開始部分とが記憶された状態となる。
【００３２】
ＣＭの開始の検出は、例えば、比較部２７ａが第１チューナ１３ａで受信しているチャンネルの映像を監視し、映像の切り替わり速度（例えば、単位時間当たりの近似していないフレームに切り替わる回数）が所定の閾値以上になるとＣＭになったと判別することができる。これは、一般的にＣＭではシーンの切り替わりが速いことを利用するものである。なお、ＣＭの開始を検出した後に、逆に、映像の切り替わり速度が上記所定の閾値未満になるとＣＭが終了したと判別することもできる。
【００３３】
他にもＣＭの開始の検出は、例えば、比較部２７ａが第１チューナ１３ａで受信しているチャンネルの音声を監視し、音声の周波数帯域が所定帯域より広くなると、又はボリュームレベルが上がると、ＣＭになったと判別することができる。これは、一般的にＣＭでは、音楽が流れ周波数帯域が広がること、又は放送局によってボリュームレベルが上げられていることを利用するものである。なお、ＣＭの開始を検出した後に、逆に、音声の周波数帯域が所定帯域より狭くなると、又はボリュームレベルが下がると、ＣＭが終了したと判別することもできる。
【００３４】
なお、放送にＣＭの開始、終了に関するデータが付加されていればそれを利用してＣＭの開始、終了を簡単に検出できる。
【００３５】
ステップＳ１１からはステップＳ１２へ進んで、ＣＭ中に他のチャンネルへの切り替え指示があったか否かを判別する。ステップＳ１２においてＣＭ中にユーザがザッピングなどのため操作部１２で他のチャンネルへの切り替え操作をすると、ステップＳ１３へ進んで第２チューナ１３ｂで該他のチャンネルを受信し、第１チューナ１３ａで受信しているチャンネルの番組に代えて該他のチャンネルの番組をスピーカ２１及びディスプレイ２５から出力する。その後さらに他のチャンネルに切り替えられた場合も第２チューナ１３ｂで受信して該さらに他のチャンネルを出力する。
【００３６】
一方、ステップＳ１２においてＣＭ中にユーザが他のチャンネルへの切り替え操作をしなければ、ステップＳ１１に戻り、第１チューナ１３ａで受信している番組の次のＣＭ直前の所定量の映像を記憶する。
【００３７】
ステップＳ１３からはステップＳ１４へ進んで、比較部２７ａは、ＲＡＭ１７内の記憶領域に記憶されている直近のＣＭ直前の映像を読み出し、第１チューナ１３ａで受信中のチャンネルの現在の映像と比較し、それらが近似しているかどうか判別する。
【００３８】
具体的には、例えば、記憶されているＣＭ直前の本編の映像の中から連続していない数フレームを読み出し、それぞれのフレームの映像と第１チューナ１３ａで現在受信中のフレームの映像とを比較し、読み出したフレームの何れか１つのフレームの映像と第１チューナ１３ａで現在受信中のフレームの映像とが、所定面積（例えば７０％）以上一致していれば、近似していると判断する。これにより、ＣＭの前後で全く同じシーンが放送された場合はもちろん検出でき、全く同じシーンではなくても野球中継など同じような映像が放送される場合にも検出することができる。なお、最近の番組編成ではＣＭの前後で同じシーンが放送されること多いので、近似の判定を厳しくしても検出でき、検出の精度を上げることができる。
【００３９】
ステップＳ１４において近似していると判別した場合、ＣＭが終了したと判断し、ステップＳ１５へ進んでＣＭが終了した旨をディスプレイ２５及び／又はスピーカ２１から出力する。例えば、「元のチャンネルのＣＭが終了しました。」等のメッセージを表示すればよい。これにより、ユーザはチャンネル操作して元のチャンネルに戻すことができる。なお、ディスプレイ２５に表示する場合、何も操作なく所定時間経過すればメッセージを消去することが望ましい。
【００４０】
また、図３に示すような選択操作可能なメッセージを表示してもよい。図３はディスプレイ２５にメッセージを表示した画面の一例である。表示中の映像の邪魔にならないように、ＯＳＤ機能を用いて画面４０の下部に「ＣＭが終了しました。元のチャンネルに戻しますか？」というメッセージとともに、選択操作可能な「はい」、「いいえ」の選択肢が表示されている。そして、ユーザにより「はい」が選択操作されると、元のチャンネルに戻すため、第１チューナ１３ａで受信している番組を出力するように切り替え、第２チューナ１３ｂでの受信を止める。一方、「いいえ」が選択操作されると、第１チューナ１３ａでの受信を止め、第２チューナ１３ｂを第１チューナ１３ａとみなしてステップＳ１１に戻ればよい。
【００４１】
このように、本発明の動作によれば、ユーザがＣＭ中に他のチャンネルに切り替えても、元のチャンネルのＣＭが終了すれば直ぐにユーザに知らせることができるので、ユーザはＣＭ明けの本編を見逃すことがなくなり、ユーザの満足度が向上する。
【００４２】
なお、ステップＳ１４で所定時間（例えば３分）以上近似していないという判別が続けば、ＣＭは既に終了しているとみなして本フローチャートの処理を終了してもよい。また、第２チューナ１３ｂでの切り替え後のチャンネルの受信開始（ステップＳ１３）から計時し始め、同じチャンネルを続けて所定時間（例えば５分）受信すると、ユーザに元のチャンネルに戻す意志はないと判断し、第１チューナ１３ａでの受信を止め、第２チューナ１３ｂを第１チューナ１３ａとみなしてステップＳ１１に戻るようにしてもよい。
【００４３】
また、ステップＳ１５において、メッセージを出力する代わりに、第１チューナ１３ａで受信しているチャンネルに強制的に切り替えるようにしてもよい。また、ＣＭ明けのテレビジョン受像機１０の動作として、元の（第１チューナ１３ａで受信中の）チャンネルに戻すかどうかをメッセージを出力するなどしてユーザに確認するモードと確認しないモード、ＣＭ中に切り替えたチャンネルの視聴時間が所定時間（例えば２分）経過すれば元のチャンネルに戻すかどうかをユーザに確認しないモード、ＣＭ中に切り替えたチャンネルから強制的に元のチャンネルに戻すモード、ＣＭ中に切り替えたチャンネルの視聴時間が所定時間（例えば２分）経過すれば元のチャンネルに戻さないモードなど、各種モードを機能設定画面で設定可能にしてもよい。
【００４４】
また、ステップＳ１４で、上述した映像の切り替わり速度や音声の周波数帯域やボリュームレベルによってＣＭの終了を検出することを適宜併用し、併用した全てでＣＭの終了が検出されたことをもってＣＭが終了したと判別するようにすれば検出精度がさらに向上し、一方、併用したうちの何れかで検出されたことをもってＣＭが終了したと判別するようにすれば、検出漏れが減少する。
【００４５】
また、ステップＳ１１で映像に加えて音声も記憶し、ステップＳ１４で映像に加えて音声も比較し、映像及び音声が近似しているかどうかを判別するようにすれば検出精度がさらに向上し、一方、映像又は音声が近似しているかどうかを判別するようにすれば、検出漏れが減少する。
【産業上の利用可能性】
【００４６】
本発明は、デジタル放送受信装置、アナログ放送受信装置を問わず適用でき、テレビジョン受像機、テレビジョン放送を受信できるレコーダ（光ディスクレコーダ、ＨＤＤレコーダ、それらの複合機など）に利用することができる。
【符号の説明】
【００４７】
１０  テレビジョン受像機（放送受信装置）
１２  操作部
１３  チューナ部
１３ａ  第１チューナ
１３ｂ  第２チューナ
１４  Ａ／Ｄ変換部
１５  復調部
１６  ＴＳデマルチプレクサ
１７  ＲＡＭ
１８  ＲＯＭ
１９  Ｄ／Ａ変換部
２０  音声信号出力部
２１  スピーカ
２２  ＭＰＥＧ２デコード部
２３  ＮＴＳＣエンコード部
２４  映像信号出力部
２５  ディスプレイ
２６  外部Ｉ／Ｆ
２７  ＭＰＵ
２７ａ  比較部
３０  アンテナ
【図１】
2012019287.tif 000003
【図２】
2012019287.tif 000004
【図３】
2012019287.tif 000005